【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
波長３８０ｎｍ〜４２０ｎｍの光を発する発光素子と、
前記発光素子上に配置され、下記一般式（１）で表わされる組成を有し、樹脂中に分散された第１の赤色蛍光体と、
前記発光素子上に配置され、下記一般式（２）で表わされる組成を有し、樹脂中に分散された第２の赤色蛍光体と、  
前記発光素子上に配置され、下記一般式（３）で表わされる組成を有し、樹脂中に分散された緑色蛍光体と、
前記発光素子上に配置され、樹脂中に分散された青色蛍光体と、
を備えることを特徴とする発光装置。
（Ｃａ１−ｘ１Ｅｕｘ１）ａ１ＡｌＳｉｂ１Ｏｃ１Ｎｄ１：Ｅｕ        （１）
（上記一般式（１）中、ｘ１、ａ１、ｂ１、ｃ１、ｄ１は次の関係を満たす。０＜ｘ１＜０．０３、０．９０＜ａ１＜１．１、０．９０＜ｂ１＜１．１、０．２０＜ｃ１＜０．４５、２．４０＜ｄ１≦３．００）
（Ｓｒ１−ｘ２Ｅｕｘ２）ａ２Ｓｉｂ２ＡｌＯｃ２Ｎｄ２        （２）
（上記一般式（２）中、ｘ２、ａ２、ｂ２、ｃ２、ｄ２は、次の関係を満たす。０＜ｘ２＜１、０．５５＜a２＜０．９５、２．０＜ｂ２＜３．９、０＜c２＜０．６、４＜ｄ２＜５．７）
（Ｓｒ１−ｘＥｕｘ）３−ｙＳｉ１３−ｚＡｌ３＋ｚＯ２＋ｕＮ２１−ｗ        （３）
（上記一般式（３）中、ｘ、ｙ、ｚ、ｕ、ｗは、次の関係を満たす。０＜ｘ＜１、−０．１＜ｙ＜０．３、−３＜ｚ≦１、−３＜ｕ−ｗ≦１.５）
【請求項２】
波長３８０ｎｍ〜４７０ｎｍの光を発する発光素子と、
前記発光素子上に配置され、下記一般式（１）で表わされる組成を有し、樹脂中に分散された第１の赤色蛍光体と、
前記発光素子上に配置され、下記一般式（２）で表わされる組成を有し、結晶構造が斜方晶であり、ＣｕＫα特性Ｘ線（波長１．５４０５６Å）を用いたＸ線回折において、３１．６−３１．８°、３０．９−３１．１°、２４．８５−２５．０５°、３５．２５−３５．４５°、１５．０−１５．２５°、５６．４−５６．６５°、３６．１−３６．２５°、３３．０―３３．２０°、２３．１―２３．２０°、２９．３−２９．６°、２６．９５−２６．１５°の回折角度（２θ）、１１箇所のうち、少なくとも９箇所に同時に回折ピークを示し、樹脂中に分散された第２の赤色蛍光体と、  
前記発光素子上に配置され、下記一般式（３）で表わされる組成を有し、結晶構造が斜方晶であり、ＣｕＫα特性Ｘ線（波長１．５４０５６Å）を用いたＸ線回折において、３０．５−３０．９°、２５．６−３０．０°、３１．８−３２．２°、３７．２−３７．６°、３７．０−３７．４°、２９．３−２９．７°、３４．０−３４．４°、２１．７―２２．１°、４８．９―４９．３°、４５．７−４６．１°、６２．８−６３．２°、１５．２−１５．６°、６１．３−６１．７°、４０．５−４０．９°、５５．８°−５６．２°の回折角度（２θ）、１５箇所のうち、少なくとも６箇所に同時に回折ピークを示し、樹脂中に分散された緑色蛍光体と、
を備えることを特徴とする発光装置。

（Ｃａ１−ｘ１Ｅｕｘ１）ａ１ＡｌＳｉｂ１Ｏｃ１Ｎｄ１：Ｅｕ        （１）
（上記一般式（１）中、ｘ１、ａ１、ｂ１、ｃ１、ｄ１は次の関係を満たす。０＜ｘ１＜０．０３、０．９０＜ａ１＜１．１、０．９０＜ｂ１＜１．１、０．２０＜ｃ１＜０．４５、
２．４０＜ｄ１≦３．００）

（Ｓｒ１−ｘ２Ｅｕｘ２）ａ２Ｓｉｂ２ＡｌＯｃ２Ｎｄ２        （２）
（上記一般式（２）中、ｘ２、ａ２、ｂ２、ｃ２、ｄ２は、次の関係を満たす。０＜ｘ２＜１、０．５５＜a２＜０．９５、２．０＜ｂ２＜３．９、０＜c２＜０．６、４＜ｄ２＜５．７）

（Ｓｒ１−ｘＥｕｘ）３−ｙＳｉ１３−ｚＡｌ３＋ｚＯ２＋ｕＮ２１−ｗ        （３）
（上記一般式（３）中、ｘ、ｙ、ｚ、ｕ、ｗは、次の関係を満たす。０＜ｘ＜１、−０．１＜ｙ＜０．３、−３＜ｚ≦１、−３＜ｕ−ｗ≦１.５）
【請求項３】
波長３８０ｎｍ〜４７０ｎｍの光を発する発光素子と、
前記発光素子上に配置され、下記一般式（１）で表わされる組成を有する第１の赤色蛍光体が樹脂中に分散された第１の赤色蛍光体層と、
前記発光素子上に配置され、下記一般式（２）で表わされる組成を有する第２の赤色蛍光体が樹脂中に分散された第２の赤色蛍光体層と、  
前記発光素子上に配置され、下記一般式（３）で表わされる組成を有する緑色蛍光体が樹脂中に分散された緑色蛍光体層と、
を備え、前記第１の赤色蛍光体層、前記第２の赤色蛍光体層、および、前記緑色蛍光体層が平板状であることを特徴とする発光装置。

（Ｃａ１−ｘ１Ｅｕｘ１）ａ１ＡｌＳｉｂ１Ｏｃ１Ｎｄ１：Ｅｕ        （１）
（上記一般式（１）中、ｘ１、ａ１、ｂ１、ｃ１、ｄ１は次の関係を満たす。０＜ｘ１＜０．０３、０．９０＜ａ１＜１．１、０．９０＜ｂ１＜１．１、０．２０＜ｃ１＜０．４５、
２．４０＜ｄ１≦３．００）

（Ｓｒ１−ｘ２Ｅｕｘ２）ａ２Ｓｉｂ２ＡｌＯｃ２Ｎｄ２        （２）
（上記一般式（２）中、ｘ２、ａ２、ｂ２、ｃ２、ｄ２は、次の関係を満たす。０＜ｘ２＜１、０．５５＜a２＜０．９５、２．０＜ｂ２＜３．９、０＜c２＜０．６、４＜ｄ２＜５．７）

（Ｓｒ１−ｘＥｕｘ）３−ｙＳｉ１３−ｚＡｌ３＋ｚＯ２＋ｕＮ２１−ｗ        （３）
（上記一般式（３）中、ｘ、ｙ、ｚ、ｕ、ｗは、次の関係を満たす。０＜ｘ＜１、−０．１＜ｙ＜０．３、−３＜ｚ≦１、−３＜ｕ−ｗ≦１.５）
【請求項４】
波長３８０ｎｍ〜４７０ｎｍの光を発する発光素子と、
前記発光素子上に配置され、下記一般式（１）で表わされる組成を有する第１の赤色蛍光体と、下記一般式（２）で表わされる組成を有する第２の赤色蛍光体とが樹脂中に分散された赤色蛍光体層と、  
前記発光素子上に配置され、下記一般式（３）で表わされる組成を有する緑色蛍光体が樹脂中に分散された緑色蛍光体層と、
を備え、前記赤色蛍光体層、および、前記緑色蛍光体層が平板状であることを特徴とする発光装置。

（Ｃａ１−ｘ１Ｅｕｘ１）ａ１ＡｌＳｉｂ１Ｏｃ１Ｎｄ１：Ｅｕ        （１）
（上記一般式（１）中、ｘ１、ａ１、ｂ１、ｃ１、ｄ１は次の関係を満たす。０＜ｘ１＜０．０３、０．９０＜ａ１＜１．１、０．９０＜ｂ１＜１．１、０．２０＜ｃ１＜０．４５、
２．４０＜ｄ１≦３．００）

（Ｓｒ１−ｘ２Ｅｕｘ２）ａ２Ｓｉｂ２ＡｌＯｃ２Ｎｄ２        （２）
（上記一般式（２）中、ｘ２、ａ２、ｂ２、ｃ２、ｄ２は、次の関係を満たす。０＜ｘ２＜１、０．５５＜a２＜０．９５、２．０＜ｂ２＜３．９、０＜c２＜０．６、４＜ｄ２＜５．７）

（Ｓｒ１−ｘＥｕｘ）３−ｙＳｉ１３−ｚＡｌ３＋ｚＯ２＋ｕＮ２１−ｗ        （３）
（上記一般式（３）中、ｘ、ｙ、ｚ、ｕ、ｗは、次の関係を満たす。０＜ｘ＜１、−０．１＜ｙ＜０．３、−３＜ｚ≦１、−３＜ｕ−ｗ≦１.５）
【請求項５】
前記一般式（２）中、ｘ２、ａ２、ｂ２、ｃ２、ｄ２は、０．０１＜ｘ２≦０．１０、０．５８≦a２≦０．７０、２．１≦ｂ２≦３．５、０．１≦c２≦０．５、４．１≦ｄ２≦５．０の関係を満たすことを特徴とする請求項１ないし請求項４いずれか一項記載の発光装置。
【手続補正２】
【補正対象書類名】明細書
【補正対象項目名】０００６
【補正方法】変更
【補正の内容】
【０００６】
実施の形態の発光装置は、波長３８０ｎｍ〜４２０ｎｍの光を発する発光素子と、この発光素子上に配置され、下記一般式（１）で表わされる組成を有し、樹脂中に分散された第１の赤色蛍光体と、この発光素子上に配置され、下記一般式（２）で表わされる組成を有し、樹脂中に分散された第２の赤色蛍光体と、この発光素子上に配置され、下記一般式（３）で表わされる組成を有し、樹脂中に分散された緑色蛍光体と、この発光素子上に配置され、樹脂中に分散された青色蛍光体と、を備える。